(57)【要約】【課題】採寸の熟練度に関わらず誰でも簡単にウェストサイズと丈を採寸できる採寸用スカートを提供すること。【解決手段】試着者のウェストに装着される本体１１と、本体１１のウェスト部分２０に沿って設けた計測手段２１と、このウェスト部分２０の周方向に沿って設けた長さの異なる帯状の襞３０とを有する。そして、試着者に適したウェストサイズをウェスト部分２０に設けられた計測手段２１を用いて採寸する。加えて、試着者に適したスカートの丈を長さの異なる複数の襞３０を用いて採寸する。【選択図】  図１
2015224400.tif 000002
【特許請求の範囲】
【請求項１】
試着者のウェストに装着される本体と、
前記本体のウェスト部分に沿って設けた計測手段と、
前記ウェスト部分の周方向に沿って設けた長さの異なる複数の帯状の襞と、
を具備し、
前記計測手段で試着者に適したウェストサイズを採寸し、前記襞で試着者に適したスカートの丈を採寸することを特徴とする採寸用スカート。
【請求項２】
前記計測手段は、前記ウェスト部分に沿って設けた複数の鐶と、
前記ウェスト部分の一端に設けた掛止部と、を具備し、
前記掛止部を前記複数の鐶のうちの一つに引っ掛けることにより試着者のウェストサイズを計測することを特徴とする請求項１に記載の採寸用スカート。
【請求項３】
前記計測手段は、前記ウェスト部分に沿って設けた複数の掛止部と、
前記ウェスト部分の一端に設けた鐶と、を具備し、
前記複数の掛止部のうちの１つを前記鐶に引っ掛けることにより試着者のウェストサイズを計測することを特徴とする請求項１に記載の採寸用スカート。
【請求項４】
前記本体は、少なくとも試着者の臀部の全周を越える巻き付け幅を有し、かつ、採寸可能範囲の最短の丈を有することを特徴とする請求項１、２または３に記載の採寸用スカート。
【請求項５】
前記本体は、前記複数の襞の内側に重ねて配置されていることを特徴とする請求項１から４のいずれかに記載の採寸用スカート。
【発明の詳細な説明】
【技術分野】
【０００１】
本発明は、採寸用スカートに関する。
【背景技術】
【０００２】
現在、制服を採寸する場合には、熟練の採寸者がメジャーを使って、対象者のウェストサイズと丈を採寸し、各人の体のサイズにあった制服を仕立てている。そして、学生服のような、使用開始時期が決まっている制服の場合、一度に大量の制服の採寸依頼に対応する必要がある。このため、熟練の採寸者に加えて一時的にアルバイトの採寸者を補充して採寸を実施する。しかしながら、採寸に慣れていない者が採寸をすると、ウェストサイズや丈を誤って採寸することがある。また、採寸者の違いによる採寸の微妙な個人差が生じることがある。
【０００３】
例えば、スカートの丈は、採寸者がメジャーのみで採寸すると完成時のイメージが掴みづらい。このため、事後的に依頼者から丈やウェストの仕立て直しの依頼が増加して業務が煩雑になることがある。一方、実際に試着してもらうとこのような間違いは起こりにくいが、試着用のスカートの履き替え回数が多くなる。結果、一人当たりの採寸時間が長くなり、予定総採寸時間を大幅に超えることがある。加えて、事前に試着用のサンプル品を余分に製造する必要があるためコストがかかる。
【先行技術文献】
【特許文献】
【０００４】
【特許文献１】特開平９ー６７７１１号公報
【発明の概要】
【発明が解決しようとする課題】
【０００５】
そこで、本実施形態においては、採寸の熟練度に関わらず誰でも簡単にウェストサイズと丈を採寸できる採寸用スカートを提供することを目的とする。
【課題を解決するための手段】
【０００６】
実施形態に係る採寸用スカートは、試着者のウェストに装着される本体と、この本体のウェスト部分に沿って設けた計測手段と、このウェスト部分の周方向に沿って設けた長さの異なる帯状の襞とを有する。そして、試着者に適したウェストサイズをウェスト部分に設けられた計測手段を用いて採寸する。そして、試着者に適したスカートの丈を長さの異なる複数の襞を用いて採寸する。
【図面の簡単な説明】
【０００７】
【図１】図１は、本実施形態に係る採寸用スカートの斜視図である。
【図２】図２は、図１の採寸用スカートを広げた展開図である。
【図３】図３は、図１の採寸用スカートの襞の一部をめくった展開図である。
【発明を実施するための形態】
【０００８】
以下、本実施形態にかかる採寸用スカートの構造について図面を用いて説明する。
【０００９】
図１に示すように、本実施形態に係る採寸用スカート１は、いわゆる巻きスカートである本体１１と、本体１１のウェスト部分２０に沿って設けられた計測手段２１と、本体１１のウェスト部分２０に沿って設けられた丈方向に延びる複数の長さの異なる帯状の襞３０とを有している。
【００１０】
図２に示すように、計測手段２１は、ウェスト部分２０の外側に配置される複数の鐶（カン）２２とウェスト部分２０の一端に設けた掛止部２３とを有する。複数の鐶２２は、ウェスト部分２０に沿って所定の間隔をもって配置される金属製の輪である。掛止部２３は、ウェスト部分２０の一端（図示右側）の内側に設けた金属製のフックであり、鐶２２の輪に掛けることにより、係合される。
【００１１】
そして、ウェスト部分２０に沿って設けられた各鐶２２には、目盛２４が付されている。この目盛２４は、掛止部２３と係合したときのウェストサイズを示している。図２に示すように、鐶２２は全て一定の間隔で配置されているものではなく、図示左側から、１００、９５、９０、８４、８１、７８・・・と目盛（センチ）が設けられている。鐶２２の配置間隔は、採寸用スカート１の対象とする試着者のウェストサイズの分布から所定の間隔で設けられる。例えば、細かなウェストサイズの設定が求められるサイズ帯については、３センチ間隔で、それ以外のサイズ帯については、５センチ間隔で鐶２２を配置している。つまり、ウェストサイズが９０センチ以上であるか、または５７センチ以下の試着者については本採寸用スカート１の対象とはせずに、採寸者が実測する。もちろん、オーバーサイズの採寸用スカート１を用意しておき提供することも可能である。なお、採寸用スカート１の鐶２２の配置間隔およびウェストサイズの計測可能範囲については、対象となる学生のウェストサイズを参考にして定められる。
【００１２】
目盛２４は、ウェスト部分２０の外側に設けられているため、採寸者は、試着者に適したウェストサイズを一目で確認することができる。なお、本実施形態では計測手段２１として、鐶２２を複数設けて、掛止部２３を一つ設けたが、鐶２２と掛止部２３は、逆にすることも可能である。つまり、ウェスト部分２０に複数の掛止部２３を所定の間隔で設けるとともに、ウェスト部分２０の一端に鐶２２を設けても良い。この場合、各掛止部２３の横に目盛２４を付しておく。
【００１３】
計測手段２１としては、試着者のウェストで本体１１を留めることができれば他のものを使用することも可能である。例えば、ウェスト部分２０にいわゆる布製の面ファスナーを用いることも可能である。この場合は、図２で示す採寸用スカート１のウェスト部分２０の一端（図示右）の掛止部２３の部分の内側に面ファスナーの一方のフック状の布製のテープを配置する。そして、目盛２４が付された面ファスナーの他方のパイル状の布製のテープを他端（図示左）から中央へ向かって配置する。フック状の布製テープを内側に設けたウェスト部分２０の外側にウェストサイズを採寸するための基準となる目印を設ける。これにより、ウェストサイズに合わせて面ファスナーを閉じたときの目印の位置に付された目盛２４を基準としてウェストサイズの採寸をすることができる。
【００１４】
図２に示すように、襞３０は、本体１１のウェスト部分２０に沿って設けられる帯状の丈の異なる布である。襞３０は、それぞれ決まった丈を有する。そして、各襞３０の下端には、その襞の丈の長さが記載されている。例えば、丈が６３センチの襞を襞３１ａ、６０センチの襞を襞３１ｂ、５７センチの襞を襞３１ｃ、５４センチの襞を襞３１ｄ、５１センチの襞を襞３１ｅ、４８センチの襞を襞３１ｆとしてウェスト部分２０に沿って配置する。この場合、本体１１の丈を４５センチとする。
【００１５】
本実施形態においては、６種類の丈の異なる襞３１ａ~３１ｆと本体１１の丈を合わせて７種類の丈から採寸することが可能である。なお、襞３０の幅については特に定めていないが、細すぎると試着者が試着時のスカートの丈のイメージをつかみ難くするため、ある程度の幅を有していることが好ましい。
【００１６】
また、本実施形態においては、襞３０は、全てウェスト部分２０に取り付けられ、帯状に垂れ下がる布を用いて形成したが、これに限らない。例えば、本体１１の下端部に取り付けた複数枚の長さの異なる襞３０を周方向に沿って垂れ下がるように配置することもできる。
【００１７】
図３に示すように、本体１１は、複数の襞３０の内側に重なるように延びている。そして、本体１１の巻きつけ幅は、少なくとも試着者の臀部の全周を覆うことのできる長さを有する。ここで、臀部とは、試着者のウェストから腿の上あたりまでの範囲を示す。つまり、本体１１は、少なくとも試着者の臀部を覆い隠す程度の巻きつけ幅を有する。また、本体１１は、採寸可能範囲の最短の丈を有する。さらに、本実施形態に係る採寸用スカート１において、本体１１は、複数の襞３０の内側に重ねて配置されている。しかし、本体１１を外側とし、襞３０を内側に配置することも可能である。なお、本体１１の襞３０と重ならない部分には、プリーツを設けて試着者が学生服を着た姿をイメージしやすいようにしている。
【００１８】
続いて、採寸用スカート１を用いたスカートの採寸方法について説明する。
【００１９】
試着者は採寸用スカート１を一般的な巻きスカートと同じ要領で、ウェスト位置に合わせて体に巻きつける。
【００２０】
ここで、採寸者又は試着者は、採寸用スカート１のウェスト部分２０に設けられた、掛止部２３を試着者のウェストサイズに適した位置に設けられた鐶２２に引っ掛ける。採寸者は、必要であれば採寸したウェストサイズが適しているかを試着者に確認する。ウェストサイズが適していた場合には、掛止部２３が掛かっている鐶２２のウェストサイズを示す目盛２４を採寸シートに書きとめる。これでウェストサイズの採寸は終了する。
【００２１】
次に、試着者は、鏡に自己の姿を映しスカートの丈の確認をする。本実施形態に係る採寸用スカート１は、丈の異なる６枚の襞３０と、本体１１の７種類の丈の中から最も適した丈の長さを選択することができる。ここで、図３に示すように、各襞３０は、別々にめくることができるため、不要な襞３０をめくった状態で鏡に映すことにより、より制服姿をイメージしやすくすることができる。例えば、試着者が襞３１ｆを最も適した丈であると採寸者に伝えると、採寸者は襞３１ｆの下端に記載された丈の寸法を採寸シートに書き留める。これでスカートの丈の採寸は終了する。
【００２２】
本実施形態においては、襞３０の下端部に記載された丈の長さを示した数字を書きとめる方法を用いたがこの方法に限られない。例えば、各襞の裏地の色を丈の長さで区別しておき、例えば、襞３１ｆであれば、裏地「赤」として採寸シートに書き留めるようにしてもよい。
【００２３】
なお、学生服の場合、学校ごとに規定のスカート丈が決まっている場合もある。この時は、採寸者は予めその規定の寸法を覚えておくことで、試着者に合ったスカートの丈を素早く選択することができる。この場合の規定の寸法とは、例えば、「膝下１０センチ」等であり、試着者の体のサイズに応じて決まる値である。
【００２４】
また、本実施形態に係る採寸用スカート１として巻きスカートタイプのスカートを用いているが、例えば、別の実施形態として、通常の制服に使用される筒状のスカートのウェスト部分と襞を加工して作成することも可能である。筒状の採寸用スカートを使用した場合には、スカートを体に巻きつけるのではなく、筒の中に体を通してウェスト位置に装着する点が異なるが、ウェスト部分の計測手段、および丈の計測手段は同じである。なお、筒状のスカートを用いた場合の採寸可能範囲は、巻きスカートを用いた場合よりも狭く設定する。これは、筒の径が固定されているため、採寸可能範囲を大きく設定すると、採寸用スカートの筒の径に比して細身の試着者が試着した場合にウェスト部分の生地が多く余り、計測しづらい。しかしながら、筒状の採寸用スカートは、装着時にスカートが開けるおそれがなく安心して使用できるため有用である。
【００２５】
さらに、採寸用スカート１としてプリーツスカートを示しているが、スカートのタイプはこれに限られない種々のタイプのスカートに対応することが可能である。また、スカートに使用する生地についても実際に制服に使用される生地を用いることが好ましい。これは、試着者が自分の制服姿をよりイメージしやすくなるのに役立つためである。
【００２６】
上記のような採寸用スカートを用いることにより、簡易な構成で誰でも試着者に適したスカートのウェストサイズと丈の採寸をすることができ、かつ短い時間で、多サイズの採寸が可能であるため、採寸に係る時間を短縮することが可能となる。これは、学生の入学が集中する時期のような、一度に多くの学生のスカートサイズを採寸し、短期間で制作しなければならない場合には非常に有利である。
【００２７】
また、本実施形態の採寸用スカート１は、実際の制服と同じ生地を加工して作成されているため、試着者が着たときにそのスカートの履いた感触や、生地の質感、鏡に映した様子等を確認することができる。このため、メジャーのみで採寸するよりも、試着者にイメージが格段に伝わりやすい。また、本実施形態の採寸用スカート１を用いることにより、複数のサイズのスカートを何回も試着する必要が無く、着替えの作業時間によるタイムロスを減少させることが可能である。加えて、多サイズの試着用のスカートを制作する必要もない。
【００２８】
また、サイズ調整後のスカートを納品した後に顧客からウェストサイズ、丈の再度の調整依頼が減少し、業務の流れがサイズ調整により滞ることがない。
【００２９】
なお、本発明は前記実施の形態に限定されるものではない。例えば、本実施形態においては、学生服の採寸を例に挙げて説明したが、各種業界で用いられる様々な制服や、いわゆる女性用のスーツなどの採寸に本発明を適用することができる。この他、本発明の要旨を逸脱しない範囲で種々変形実施可能であるのは勿論である。
【符号の説明】
【００３０】
１…採寸用スカート、１１…本体、２０…計測手段、２１…ウェスト部分、２２…鐶、２３…掛止部、２４…目盛、３０…襞、３１ａ~ｆ…襞。
【図１】
2015224400.tif 000003
【図２】
2015224400.tif 000004
【図３】
2015224400.tif 000005